(57)【要約】【課題】光学系の大型化を図りつつ、高いファインダー倍率及び長いアイレリーフを確保して、優れた光学性能を有する接眼光学系及びこれを搭載する光学機器を提供する。【解決手段】本発明は、対物レンズ１１によって焦点板１４（所定結像面）上に結像された被写体像を、ペンタプリズム（正立光学系）１６によって正立像とし、この正立像を接眼レンズ１８を介して観察する接眼光学系１において、接眼レンズ１は、物体側から順に光軸に沿って、負の屈折力を有する第１レンズ群Ｌ１と、正の屈折力を有する第２レンズ群Ｌ２とからなり、ペンタプリズム１６と接眼レンズ１８の第１レンズ群Ｌ１との間に光学プリズム（光路分割手段）１７が配置され、光学プリズム１７の光軸方向の厚さをＰＬとし、ペンタプリズム１６の射出面から接眼レンズ１８の第３レンズ群（最もアイポイントＥＰ側のレンズ）までの全長をＴＬとしたとき、次式０．１０＜ＰＬ／ＴＬ＜０．７５を満足して構成される。【選択図】図１
2007093891.tif 000002
【特許請求の範囲】
【請求項１】
対物レンズによって所定結像面上に結像された被写体像を、正立光学系によって正立像とし、この正立像を接眼レンズを介して観察する接眼光学系において、
前記接眼レンズは、物体側から順に光軸に沿って、負の屈折力を有する第１レンズ群と、正の屈折力を有する第２レンズ群とからなり、
前記正立光学系と前記接眼レンズの最もアイポイント側のレンズとの間のいずれかの空気間隔に、光路分割手段が配置され、
前記光路分割手段の光軸方向の厚さをＰＬとし、前記正立光学系の射出面から接眼レンズの最もアイポイント側のレンズまでの全長をＴＬとしたとき、次式
０．１０  ＜  ＰＬ／ＴＬ  ＜０．７５
を満足して構成されることを特徴とする接眼光学系。
【請求項２】
前記接眼レンズは、物体側から順に、負の屈折力を有する第１レンズ群と、正の屈折力を有する第２レンズ群と、正の屈折力を有する第３レンズ群と、負の屈折力を有する第４レンズ群とからなり、
前記正立光学系と前記第１レンズ群との間の空気間隔に、前記光路分割手段が配置されることを特徴とする請求項１に記載の接眼光学系。
【請求項３】
前記接眼レンズは、物体側から順に、負の屈折力を有する第１レンズ群と、正の屈折力を有する第２レンズ群と、負の屈折力を有する第３レンズ群とからなり、
前記第２レンズ群と前記第３レンズ群との間の空気間隔に、前記光路分割手段が配置されることを特徴とする請求項１に記載の接眼光学系。
【請求項４】
前記接眼レンズは、前記第２レンズ群を該接眼レンズの光軸上を移動させて、視度調節を行うことを特徴とする請求項１〜３のいずかに記載の接眼光学系。
【請求項５】
前記光路分割手段のｄ線に対する屈折率をｎｄｐとしたとき、次式
１．５５  ＜  ｎｄｐ
を満足することを特徴とする請求項１〜４のいずれかに記載の接眼光学系。
【請求項６】
前記光路分割手段は、前記正立光学系から入射する光束のうち一部を透過し、一部を反射する光学プリズムであることを特徴とする請求項１〜５のいずれかに記載の接眼光学系。
【請求項７】
前記光路分割手段は、前記正立光学系に対する入射面及び射出面が平面からなることを特徴とする請求項１〜６のいずれかに記載の接眼光学系。
【請求項８】
請求項１〜７のいずれかに記載の接眼光学系を搭載することを特徴とする光学機器。
【発明の詳細な説明】
【技術分野】
【０００１】
本発明は、対物レンズによって所定結像面上に結像された被写体像を、正立光学系によって正立像とし、この正立像を接眼レンズを介して観察する接眼光学系及びこれを搭載する光学機器に関する。
【背景技術】
【０００２】
従来より、カメラ等に搭載される、対物レンズによって所定結像面（焦点板）上に結像された実像（被写体像）を、正立光学系によって正立像とし接眼レンズを介して観察する接眼光学系において、接眼レンズ近傍に光路分割手段を設け、該光路分割手段によって分割された光束によって、付加的な機能を果たすように構成されたものが種々提案されている。例えば、その１つの機能として、観察者の視線検出を行うものがある（例えば、特許文献１を参照）。
【特許文献１】特開平７−２１８９８５号公報
【発明の開示】
【発明が解決しようとする課題】
【０００３】
ところで、最近、接眼光学系を搭載するカメラ（光学機器）では高性能化が進み、特許文献１のように、接眼レンズの近傍に液晶板等の外部表示部材や操作部材等が配置されようになり、カメラが大型化する傾向にある。このため、接眼光学系では、対物レンズにより被写体像が結像される結像面とアイポイントの間隔を、従来の光学系より大きくすることが求められている。また、接眼光学系では、従来よりも小型化が進む撮像素子にも対応するため、高いファインダー倍率の確保が求められている。さらに、接眼光学系では、個々の観察者の視力に対応するため、長いアイレリーフ（接眼レンズからアイポイントまでの距離）が求められている。
【０００４】
しかしながら、特許文献１の接眼光学系では、内部に大きな空気間隔を必要とする構成であるため、該光学系全長を長くすることには有利であるものの、高いファインダー倍率と長いアイレリーフを確保し、これらのバランスを取ることが難しいという問題があった。
【０００５】
本発明は、このような問題に鑑みてなされたものであり、光学系の大型化を図りつつ、高いファインダー倍率及び長いアイレリーフを確保して、良好な光学性能を有する接眼光学系及びこれを搭載する光学機器を提供することを目的とする。
【課題を解決するための手段】
【０００６】
このような目的を達成するため、本発明は、対物レンズによって所定結像面上に結像された被写体像を、正立光学系によって正立像とし、この正立像を接眼レンズを介して観察する接眼光学系において、前記接眼レンズは、物体側から順に光軸に沿って、負の屈折力を有する第１レンズ群と、正の屈折力を有する第２レンズ群とからなり、前記正立光学系と前記接眼レンズの最もアイポイント側のレンズとの間のいずれかの空気間隔に、光路分割手段が配置され、前記光路分割手段の光軸方向の厚さをＰＬとし、前記正立光学系の射出面から接眼レンズの最もアイポイント側のレンズまでの全長をＴＬとしたとき、次式０．１０＜ＰＬ／ＴＬ＜０．７５を満足して構成される。
【発明の効果】
【０００７】
以上説明したように、本発明によれば、光学系の大型化を図りつつ、高いファインダー倍率及び長いアイレリーフを確保して、優れた光学性能を有する接眼光学系及びこれを搭載する光学機器を実現することができる。
【発明を実施するための最良の形態】
【０００８】
以下、本発明に係る実施例について、図面を用いて説明する。
【０００９】
本発明の接眼光学系は、物体側から順に、物体側から順に、対物レンズ、ミラー、焦点板、コンデンサレンズ、正立光学系（ペンタプリズム）、光路分割手段（光学プリズム）、接眼レンズが配置されている。
【００１０】
対物レンズは、被写体像を焦点板上に結像する。ミラーは、対物レンズの光軸を直角に偏向する。コンデンサレンズは、対物レンズにより結像された焦点板（所定結像面）上の被写体像をペンタプリズムに導く。ペンタプリズム（正立光学系）は、対物レンズによって結像された焦点板上の被写体像（倒立像）を上下左右反転して正立像にする。光学プリズム（光路分割手段）は、ペンタプリズム（正立光学系）から入射する光束のうち一部を透過し、一部を反射する。接眼レンズは、光学プリズムを透過した、ペンタプリズムで正立像となった被写体像を観察者の目に導く。
【００１１】
上記構成の本発明に係る接眼光学系は、被写体からの光は、対物レンズを通り、ミラーで反射され、焦点板上に結像された後に、コンデンサレンズを介して、ペンタプリズムに入射して正立像となり、光学プリズムを通り、接眼レンズを介し、観察者に観察されるようになっている。
【００１２】
このような本発明に係る接眼光学系において、接眼レンズは、物体側から順に光軸に沿って、負の屈折力を有する第１レンズ群と、正の屈折力を有する第２レンズ群とからなり、ペンタプリズムと接眼レンズの最もアイポイント側のレンズとの間のいずれかの空気間隔に光学プリズム（光路分割手段）が配置されることが望ましい。物体からの光は接眼レンズ近傍で収束するため、上記配置とすることで、光学プリズムの小型化を図ることができる。
【００１３】
なお、本発明に係る接眼レンズは、物体側から順に、負の屈折力を有する第１レンズ群と、正の屈折力を有する第２レンズ群と、正の屈折力を有する第３レンズ群と、負の屈折力を有する第４レンズ群とからなり、ペンタプリズム（正立光学系）と第１レンズ群との間の空気間隔に、光学プリズム（光路分割手段）が配置されることが望ましい。
【００１４】
若しくは、本発明に係る接眼レンズは、物体側から順に、負の屈折力を有する第１レンズ群と、正の屈折力を有する第２レンズ群と、負の屈折力を有する第３レンズ群とからなり、第２レンズ群と第３レンズ群との間の空気間隔に、光路分割手段が配置されることが望ましい。
【００１５】
接眼レンズを上記いずれかの構成とすることで、長いアイレリーフを確保することができる。さらに、後述するように（正の屈折力を有する第２レンズ群を移動させて、少ない移動量で）効果的に視度調整を行うことができる。
【００１６】
本発明では、接眼レンズは、第２レンズ群を該接眼レンズの光軸上を移動させて、視度調節を行うように構成することが望ましい。このような構成により、正の屈折力を有する（第２）レンズ群を移動させて、少ない移動量で効果的に視度調整を行うことができる。なお、本発明においては、第２レンズ群以外の正の屈折力を有するレンズ群を移動させたり、或いは複数のレンズ群を移動させたりすることによっても、同様の効果を得ることが可能である。
【００１７】
なお、光学プリズム（光路分割手段）は、ペンタプリズム（正立光学系）から入射する光束のうち一部を透過し、一部を反射する光分割面を有する光学プリズム（具体的には、ハーフミラー膜等を密閉した構成の光学プリズム）であることが望ましい。この構成により、光路分割手段の耐久性を向上させることができる。
【００１８】
また、光学プリズム（光路分割手段）は、入射面及び射出面が平面からなる（換言すると、正立光学系に対して屈折力を有さない）光学プリズムであることが望ましい。このような構成により、光学プリズムの製造や接眼光学系内への光路分割手段の配置を容易に行うことができる。また、光学プリズムを接眼光学系内に容易に装脱可能な構成とすることもできる。
【００１９】
本発明では、画面視野の光線の影響を受けることなく、本光学系内で発生する乱反射やゴースト等を軽減するために、光学プリズム（光路分割手段）の入射面及び射出面を、接眼レンズ光軸に対して垂直ではなく、数度傾けることが望ましい。これは、ファインダ光学系内に平面が存在すると、接眼レンズのアイポイント側より強い光源に照らされたときなどに、光路分割手段の入射面が反射して、ゴーストとなってしまうおそれがあるからである。
【００２０】
本発明に係る接眼光学系は、条件式（１）及び（２）を満足することが望ましい。
【００２１】
本発明の接眼光学系は、光学プリズム（光路分割手段）の光軸方向の厚さをＰＬとし、ペンタプリズム（正立光学系）の射出面から接眼レンズの最もアイポイント側のレンズまでの全長をＴＬとしたとき、次式（１）を満足することが望ましい。
【００２２】
０．１０  ＜  ＰＬ／ＴＬ  ＜０．７５      …（１）
【００２３】
上記条件式（１）は、光学プリズムの接眼光学系の光軸方向の中心厚ＰＬに対する、正立光学系の射出面から接眼レンズの最もアイポイント側のレンズまでの全長ＴＬの適切な比を規定している。条件式（１）の上限値を上回ると、光学プリズムは光軸方向の中心厚ＰＬが厚くなり、適切な接眼光学系の大きさや重量を超えてしまう。また、像面湾曲が悪化して良好な光学性能を得ることが難しくなり、好ましくない。逆に、条件式（１）の下限値を下回ると、光学プリズムは小型化・薄型化し過ぎてしまい、本発明の目的が達成できなくなってしまう。なお、上限値は０．６であることが望ましい。また、下限値は０．１５であることが望ましい。さらに望ましくは、下限値は０．２０であることが望ましい。これらの値は、発明者の鋭意研究を重ねた結果、見出されたものである。
【００２４】
また、本発明の接眼光学系では、光学プリズム（光路分割手段）のｄ線に対する屈折率をｎｄｐとしたとき、次式（２）を満足することが望ましい。
【００２５】
１．５５  ＜  ｎｄｐ      …（２）
【００２６】
上記条件式（２）は、光分割面で反射された光束が、光学プリズム内部で少なくとも１回全反射するための、該光学プリズムのｄ線に対する屈折率ｎｄｐの適切な範囲を規定している。ここで、縮小光学系に導かれる光線には、接眼光学系の光軸上の光線、すなわち光学プリズムに垂直に入射する光線（以下、軸上光線と称する）と、画角を持った軸外光線とがある。これら全ての縮小光学系に導かれる光線を、光学プリズム内部で全反射させるためには、全反射面での臨界角を小さくしなければならない。上記条件式（２）の下限値を下回ると、必要な屈折率が得られず、縮小光学系へ向かう光束の一部（若しくは全部）が全反射しなくなって、固体撮像素子等への一部の光線が遮られしまい、好ましくない。なお、下限値は、１．５９程度であることがより望ましい。
【００２７】
なお、本発明では、レンズ系が複数のレンズ群から構成されているが、各レンズ群の間に他のレンズ群を付加したり、或いはレンズ系の像側又は物体側に隣接させて他のレンズ群を付加したりすることも可能である。
【００２８】
以下、本発明に係る実施例について、図面を用いて説明する。
【００２９】
各実施例において非球面は、光軸に垂直な方向の高さをｙとし、非球面の頂点における接平面から高さｙにおける非球面上の位置までの光軸に沿った距離（サグ量）をＳ（ｙ）とし、基準球面の曲率半径（近軸曲率半径）をＲとし、円錐係数をκとし、ｎ次の非球面係数をＣｎとしたとき、以下の式（３）で表す。なお、各実施例における諸元の表では、非球面には面番号の左側に＊印を付している。
【００３０】
Ｓ（ｙ）＝（ｙ２／Ｒ）／｛１＋（１−κ×y２／Ｒ２）１／２｝
＋Ｃ４ｙ４＋Ｃ６ｙ６＋Ｃ８ｙ８＋Ｃ１０ｙ１０      …（３）
【００３１】
なお、以下全ての諸元値において、記載されている長さの単位は、特記の無い場合「ｍｍ」が使われている。但し、光学系は、比例拡大又は比例縮小しても同等の光学性能が得られるので、単位は「ｍｍ」に限定されることなく、他の適当な単位を用いることが可能である。また、曲率半径0.0000は平面を示し、空気の屈折率1.00000は省略してある。
【００３２】
また、以下全ての諸元値において、記載さえている視度の単位［ｍ−１］について説明すると、視度Ｘ［ｍ−１］とは、接眼レンズによる像がアイポイントＥＰから光軸上に１／Ｘ［ｍ］の位置にできる状態を示すものである。なお、符号は、像が接眼レンズより観察者側にできたときを正としている。
【００３３】
（第１実施例）
本発明の第１実施例にかかる接眼光学系について、図１〜図５を用いて説明する。なお、図１は、本発明の第１実施例に係る接眼光学系１を搭載した一眼レフカメラ（光学機器）の概略構成図である。図１に示すように、このカメラには、本発明に係る接眼光学系１の他に、縮小光学系２が搭載されている。
【００３４】
本発明に係る接眼光学系１は、図２にも示すように、物体側から順に、対物レンズ１１、ミラー１２、撮影用の撮像素子１３、焦点板１４、コンデンサレンズ１５、ペンタプリズム（正立光学系）１６、光学プリズム１７、接眼レンズ１８が配置されている。
【００３５】
なお、図２では、ペンタプリズム（正立光学系）を光軸上に展開して示している。また、図２では、対物レンズ１１、ミラー１２及び撮影用の撮像素子１３を省略し、また、後述の面番号を括弧付けで示している。
【００３６】
なお、撮影用の撮像素子１３と焦点板１４とは、光学的に共役な位置に配設されている。また、ミラー１２は、観察光学系１の光軸に対して４５度の角度で挿入されており、通常時（撮影待機状態）には、対物レンズ１１を通った被写体（不図示）からの光を反射して焦点板１３に結像させ、シャッターレリーズ時にはミラーアップ状態となって跳ね上がり、対物レンズ１１を通った被写体（不図示）からの光は、撮影用の撮像素子１３に結像するようになっている。
【００３７】
接眼レンズ１８は、図２に示すように、物体側から順に、物体側に凸面を向けた負メニスカスレンズからなる第１レンズ群Ｌ１と、物体側に凸面を向けた正レンズからなる第２レンズ群Ｌ２と、物体側に凸面を向けた正レンズからなる第３レンズ群Ｌ３と、物体側に凹面を向けた負メニスカスレンズからなる第４レンズ群Ｌ４とから構成されている。なお、接眼レンズ１８は、本実施例では第２レンズ群Ｌ２を光軸方向に移動させ、視度調整を行っている。
【００３８】
ここで、光学プリズム１７は、ペンタプリズム１６と、接眼レンズ１８の最も物体側のレンズの第１レンズ群Ｌ１との間に設置されており、本実施例では、光学プリズム１７は、観察光学系１から入射する光束を透過及び反射するハーフミラー膜ＨＭ（光分割面。図１参照）を有しており、ハーフミラー膜ＨＭにおいて透過した光は接眼レンズ１８へと導き、反射した光は縮小光学系２へと導いている。
【００３９】
上記構成の観察光学系１では、被写体（不図示）からの光は、対物レンズ１１を通り、ミラー１２で反射され焦点板１４方向に反射され、焦点板１４上に被写体像が結像される。そして、焦点板１４上の被写体像からの光束は、コンデンサレンズ１５及びペンタプリズム１６を介し、光学プリズム１７へ入射する。そして、光学プリズム１７に入射した光のうち、ハーフミラー膜ＨＭ（光分割面）を透過した光は、接眼レンズ１８を通り、アイポイントＥＰに導かれる。観察者は、アイポイントＥＰにて被写体（不図示）の実像を観察できるようになっている。
【００４０】
なお、シャッターレリーズ時には、対物レンズ１１を通った被写体（不図示）からの光は、ミラー１２がミラーアップ状態となり、撮影用の撮像素子１３上に結像されるようになっている。
【００４１】
縮小光学系２は、物体側から順に、撮影レンズ２１、フィルター群２２（例えば、ローパスフィルターや赤外カットフィルタ等）、固体撮像素子等２３（例えば、ＣＣＤやＣＭＯＳ等）が配置されている（図１参照）。
【００４２】
なお、縮小光学系２は、一眼レフカメラのユーザーの撮影支援を行うため、例えば、被写体の顔にピントを合わせる顔認識機能、画像内での主被写体の移動に追従してフォーカス位置が変化して主被写体への合焦を容易とする自動追尾機能、カメラ本体の背面液晶画面にリアルタイムで画像表示するリアルタイム表示機能など、今まで一眼レフカメラになかった新たな機能を展開するために搭載されているものである。
【００４３】
このような構成の縮小光学系２では、焦点板１４上に結像される被写体像からの光束は、コンデンサレンズ１５及びペンタプリズム１６を経て、光学プリズム１７に入射し、ハーフミラー膜ＨＭで反射した後に、該プリズム１７内部で１回全反射して射出し、撮影レンズ２１に入射する。そして、撮影レンズ２１に入射した光は収束し、フィルター群２２を介して、固体撮像素子等２３の撮像面上に再結像し、電子画像としての情報を得ることができるようになっている。
【００４４】
表１は、本実施例に係る接眼光学系１の各レンズの諸元値を示す。表１に示すように、諸元の表において、第１欄ｍは物体側からの各光学面の番号（以下、面番号と称する）、第２欄ｒは各光学面の曲率半径、第３欄ｄは各光学面から次の光学面（又は像面）までの光軸上の距離（以下、面間隔と称する）、第４欄ｎｄはｄ線（波長587.6nm）に対する屈折率、第５欄νｄはｄ線（波長587.6nm）に対するアッベ数をそれぞれ表している。表中では、視度は本発明による接眼レンズの視度を、ｆｅは−１［ｍ−１］の時の接眼レンズの焦点距離を、ＥＰはアイポイントをそれぞれ示している。
【００４５】
表１中では、面番号９に示す面間隔（すなわち面番号９と面番号１０との面間隔）ｄ９及び面番号１１に示す面間隔（すなわち面番号１１と面番号１２との面間隔）ｄ１１及びアイポイントＥＰは、視度調整が行われる際に変化するため、マイナス端（−２．０［ｍ−１］）状態、−１．０［ｍ−１］状態、プラス端（＋１．０［ｍ−１］）状態の各視度状態における可変間隔データを示す。また、上記の条件式（１）及び（２）に対応する値、すなわち条件対応値も以下に示す。
【００４６】
【表１】
2007093891.tif 000003
【００４７】
表１に示す諸元の表から分かるように、本実施例に係る接眼光学系１では、上記条件式（１）及び（２）を全て満たすことが分かる。
【００４８】
図３〜図５は、本実施例に係る接眼光学系１におけるｄ線（波長λ＝587.6ｎｍ）に対する諸収差図（球面収差、非点収差、歪曲収差及びコマ収差）を示す図である。具体的には、図３はマイナス端（−２．０［ｍ−１］）状態の諸収差図であり、図４は−１．０［ｍ−１］状態の諸収差図であり、図５はプラス端（＋１．０［ｍ−１］）状態の諸収差図である。なお、各収差図において、Ｙ１は正立系への光線の入射高を、Ｙ０は焦点板上での物体高を、ｍｉｎは角度単位である「分」をそれぞれ示している。また、非点収差図では、実線はサジタル像面、点線はメリディオナル像面をそれぞれ示している。以上、収差図の説明は他の実施例においても同様である。
【００４９】
図３〜図５に示す各収差図から明らかであるように、本発明に係る第１実施例では、マイナス端（−２．０［ｍ−１］）状態からプラス端（＋１．０［ｍ−１］）状態までの各視度調節状態において、諸収差が良好に補正され、優れた結像性能が確保されていることが分かる。
【００５０】
（第２実施例）
本発明の第２実施例にかかる接眼光学系について、図１及び図６〜図９を用いて説明する。なお、図１は、本実施例に係る接眼光学系１を搭載した一眼レフカメラ（光学機器）の概略構成図である。図１に示すように、このカメラには、本発明に係る接眼光学系１の他に、縮小光学系２が搭載されている。
【００５１】
本発明に係る接眼光学系１は、図６にも示すように、物体側から順に、対物レンズ１１、ミラー１２、撮影用の撮像素子１３、焦点板１４、コンデンサレンズ１５、ペンタプリズム（正立光学系）１６、光学プリズム１７、接眼レンズ１８が配置されている。
【００５２】
なお、図６では、ペンタプリズム（正立光学系）を光軸上に展開して示している。また、図６では、対物レンズ１１、ミラー１２及び撮影用の撮像素子１３を省略し、また、後述の面番号を括弧付けで示している。
【００５３】
撮影用の撮像素子１３と焦点板１４とは、光学的に共役な位置に配設されている。また、ミラー１２は、接眼光学系１の光軸に対して４５度の角度で挿入されており、ダウン時には対物レンズ１１を通った被写体（不図示）からの光を反射して焦点板１３に結像させ、シャッター時にはアップ状態となって跳ね上がり、対物レンズ１１を通った被写体（不図示）からの光は、撮影用の撮像素子１３に結像するようになっている。
【００５４】
接眼レンズ１８は、詳しくは図６に示すように、物体側から順に、物体側に凸面を向けた負メニスカスレンズからなる第１レンズ群Ｌ１と、物体側に凸面を向けた正レンズからなる第２レンズ群Ｌ２と、物体側に凸面を向けた負メニスカスレンズからなる第３レンズ群Ｌ３とから構成されている。なお、接眼レンズ１８は、本実施例では第２レンズ群Ｌ２を光軸方向に移動させ、視度調整を行っている。
【００５５】
ここで、光学プリズム１７は、ペンタプリズム１６と、接眼レンズ１８の最も物体側のレンズの第１レンズ群Ｌ１との間に設置されている。本実施例では、光学プリズム１７は、観察光学系１から入射する光束を透過及び反射するハーフミラー膜ＨＭ（光分割面。図１参照）を有しており、ハーフミラー膜ＨＭにおいて透過した光は接眼レンズ１８へと導き、反射した光は縮小光学系２へと導いている。
【００５６】
上記構成の観察光学系１では、被写体（不図示）からの光は、対物レンズ１１を通り、ミラー１２で反射され焦点板１４方向に反射され、焦点板１４上に被写体像が結像される。そして、焦点板１４上の被写体像からの光束は、コンデンサレンズ１５及びペンタプリズム１６を介し、光学プリズム１７へ入射する。そして、光学プリズム１７に入射した光のうち、ハーフミラー膜ＨＭ（光分割面）を透過した光は、接眼レンズ１８を通り、アイポイントＥＰに導かれる。観察者は、アイポイントＥＰにて被写体（不図示）の実像を観察できるようになっている。
【００５７】
なお、シャッターレリーズ時には、対物レンズ１１を通った被写体（不図示）からの光は、ミラー１２がミラーアップ状態となり、撮影用の撮像素子１３上に結像されるようになっている。
【００５８】
縮小光学系２は、物体側から順に、撮影レンズ２１、フィルター群２２（例えば、ローパスフィルターや赤外カットフィルタ等）、固体撮像素子等２３（例えば、ＣＣＤやＣＭＯＳ等）が配置されている（図１参照）。
【００５９】
なお、縮小光学系２は、一眼レフカメラのユーザーの撮影支援を行うため、例えば、被写体の顔にピントを合わせる顔認識機能、画像内での主被写体の移動に追従してフォーカス位置が変化して主被写体への合焦を容易とする自動追尾機能、カメラ本体の背面液晶画面にリアルタイムで画像表示するリアルタイム表示機能など、今まで一眼レフカメラになかった新たな機能を展開するために搭載されているものである。
【００６０】
このような構成の縮小光学系２では、焦点板１４上に結像される被写体像からの光束は、コンデンサレンズ１５及びペンタプリズム１６を経て、光学プリズム１７に入射し、ハーフミラー膜ＨＭで反射した後に、該プリズム１７内部で１回全反射して射出し、撮影レンズ２１に入射する。そして、撮影レンズ２１に入射した光は収束し、フィルター群２２を介して、固体撮像素子等２３の撮像面上に再結像し、電子画像としての情報を得ることができるようになっている。
【００６１】
表２は、本実施例に係る接眼光学系１の各レンズの諸元値を示す。表２中では、面番号９に示す面間隔（すなわち面番号９と面番号１０との面間隔）ｄ９及び面番号１１に示す面間隔（すなわち面番号１１と面番号１２との面間隔）ｄ１１及びアイポイントＥＰは、視度調整が行われる際に変化するため、マイナス端（−２．０［ｍ−１］）状態、−１．０［ｍ−１］状態、プラス端（＋１．０［ｍ−１］）状態の各視度状態における可変間隔データを示す。また、上記の条件式（１）及び（２）に対応する値、すなわち条件対応値も以下に示す。
【００６２】
【表２】
2007093891.tif 000004
【００６３】
表２に示す諸元の表から分かるように、本実施例に係る接眼光学系１では、上記条件式（１）及び（２）を全て満たすことが分かる。
【００６４】
図７〜図９は、本実施例に係る接眼光学系１におけるｄ線（波長λ＝587.6ｎｍ）に対する諸収差図（球面収差、非点収差、歪曲収差及びコマ収差）を示す図である。すなわち、図７はマイナス端（−２．０［ｍ−１］）状態の諸収差図であり、図８は−１．０［ｍ−１］状態の諸収差図であり、図９はプラス端（＋１．０［ｍ−１］）状態の諸収差図である。
【００６５】
図７〜図９に示す各収差図から明らかであるように、本発明に係る第２実施例では、マイナス端（−２．０［ｍ−１］）状態からプラス端（＋１．０［ｍ−１］）状態までの各視度調節状態において、諸収差が良好に補正され、優れた結像性能が確保されていることが分かる。
【００６６】
（第３実施例）
本発明の第３実施例にかかる接眼光学系について、図１０〜図１４を用いて説明する。なお、図１０は、本発明の第３実施例に係る接眼光学系１を搭載した一眼レフカメラ（光学機器）の概略構成図である。図１０に示すように、このカメラには、本発明に係る接眼光学系１の他に、縮小光学系２が搭載されている。
【００６７】
本発明に係る接眼光学系１は、図１１にも示すように、物体側から順に、対物レンズ１１、ミラー１２、撮影用の撮像素子１３、焦点板１４、コンデンサレンズ１５、ペンタプリズム（正立光学系）１６、接眼レンズ１８、光学プリズム１７が配置されている。
【００６８】
なお、図１１では、ペンタプリズム（正立光学系）を光軸上に展開して示している。また、図１１では、対物レンズ１１、ミラー１２及び撮影用の撮像素子１３を省略し、また、後述の面番号を括弧付けで示している。
【００６９】
撮影用の撮像素子１３と焦点板１４とは、光学的に共役な位置に配設されている。また、ミラー１２は、接眼光学系１の光軸に対して４５度の角度で挿入されており、ダウン時には対物レンズ１１を通った被写体（不図示）からの光を反射して焦点板１３に結像させ、シャッター時にはアップ状態となって跳ね上がり、対物レンズ１１を通った被写体（不図示）からの光は、撮影用の撮像素子１３に結像するようになっている。
【００７０】
接眼レンズ１８は、図１１に示すように、物体側から順に、物体側に凸面を向けた負メニスカスレンズからなる第１レンズ群Ｌ１と、物体側に凸面を向けた正レンズからなる第２レンズ群Ｌ２と、物体側に凸面を向けた負メニスカスレンズからなる第３レンズ群Ｌ３とから構成されている。なお、接眼レンズ１８は、本実施例では第２レンズ群Ｌ２を光軸方向に移動させ、視度調整を行っている。
【００７１】
ここで、光学プリズム１７は、接眼レンズ１８の第２レンズ群Ｌ２と第３レンズ群Ｌ３との間に設置されており、本実施例では、光学プリズム１７は、観察光学系１から入射して接眼レンズ１８の第１レンズ群Ｌ１を経た光束を透過及び反射するハーフミラー膜ＨＭ（光分割面。図１０参照）を有しており、ハーフミラー膜ＨＭにおいて透過した光は接眼レンズ１８の第２レンズ群Ｌ２へと導き、反射した光は縮小光学系２へと導いている。
【００７２】
上記構成の観察光学系１では、被写体（不図示）からの光は、対物レンズ１１を通り、ミラー１２で反射され焦点板１４方向に反射され、焦点板１４上に被写体像が結像される。そして、焦点板１４上の被写体像からの光束は、コンデンサレンズ１５、ペンタプリズム１６及び接眼レンズ１８の第１レンズ群Ｌ１を介し、光学プリズム１７へ入射する。そして、光学プリズム１７に入射した光のうち、ハーフミラー膜ＨＭ（光分割面）を透過した光は、接眼レンズ１８の第２レンズ群Ｌ２及び第３レンズ群Ｌ３を通り、アイポイントＥＰに導かれる。観察者は、アイポイントＥＰにて被写体（不図示）の実像を観察できるようになっている。
【００７３】
なお、シャッターレリーズ時には、対物レンズ１１を通った被写体（不図示）からの光は、ミラー１２がミラーアップ状態となり、撮影用の撮像素子１３上に結像されるようになっている。
【００７４】
縮小光学系２は、物体側から順に、撮影レンズ２１、フィルター群２２（例えば、ローパスフィルターや赤外カットフィルタ等）、固体撮像素子等２３（例えば、ＣＣＤやＣＭＯＳ等）が配置されている（図１０参照）。
【００７５】
なお、縮小光学系２は、一眼レフカメラのユーザーの撮影支援を行うため、例えば、被写体の顔にピントを合わせる顔認識機能、画像内での主被写体の移動に追従してフォーカス位置が変化して主被写体への合焦を容易とする自動追尾機能、カメラ本体の背面液晶画面にリアルタイムで画像表示するリアルタイム表示機能など、今まで一眼レフカメラになかった新たな機能を展開するために搭載されているものである。
【００７６】
このような構成の縮小光学系２では、焦点板１４上に結像される被写体像からの光束は、コンデンサレンズ１５及びペンタプリズム１６を経て、光学プリズム１７に入射し、ハーフミラー膜ＨＭで反射した後に、該プリズム１７内部で１回全反射して射出し、撮影レンズ２１に入射する。そして、撮影レンズ２１に入射した光は収束し、フィルター群２２を介して、固体撮像素子等２３の撮像面上に再結像し、電子画像としての情報を得ることができるようになっている。
【００７７】
表３は、本実施例に係る接眼光学系１の各レンズの諸元値を示す。表３中では、面番号８が非球面状に形成されており、これに係る非球面データを示す。また、面番号７に示す面間隔（すなわち面番号７と面番号８との面間隔）ｄ７及び面番号９に示す面間隔（すなわち面番号９と面番号１０との面間隔）ｄ９及びアイポイントＥＰは、視度調整が行われる際に変化するため、マイナス端（−２．０［ｍ−１］）状態、−１．０［ｍ−１］状態、プラス端（＋１．０［ｍ−１］）状態の各視度状態における可変間隔データを示す。また、上記の条件式（１）及び（２）に対応する値、すなわち条件対応値も以下に示す。
【００７８】
【表３】
2007093891.tif 000005
【００７９】
表３に示す諸元の表から分かるように、本実施例に係る接眼光学系１では、上記条件式（１）及び（２）を全て満たすことが分かる。
【００８０】
図１２〜図１４は、本実施例に係る接眼光学系１におけるｄ線（波長λ＝587.6ｎｍ）に対する諸収差図（球面収差、非点収差、歪曲収差及びコマ収差）を示す図である。すなわち、図１２はマイナス端（−２．０［ｍ−１］）状態の諸収差図であり、図１３は−１．０［ｍ−１］状態の諸収差図であり、図１４はプラス端（＋１．０［ｍ−１］）状態の諸収差図である。
【００８１】
図１２〜図１４に示す各収差図から明らかであるように、本発明に係る第３実施例では、マイナス端（−２．０［ｍ−１］）状態からプラス端（＋１．０［ｍ−１］）状態までの各視度調節状態において、諸収差が良好に補正され、優れた結像性能が確保されていることが分かる。
【００８２】
以上のような本発明は、上記実施形態に限定されるものではなく、本発明の要旨を逸脱しない範囲であれば適宜改良可能である。
【図面の簡単な説明】
【００８３】
【図１】本発明に係る接眼レンズ系を備えた一眼レフカメラのファインダ光学系の概略構成図である。
【図２】本発明の第１実施例に係る接眼レンズ系の概略構成図である。
【図３】上記第１実施例に係るマイナス端（−２．０［ｍ−１］）状態における諸収差図である。
【図４】上記第１実施例に係る−１．０［ｍ−１］状態における諸収差図である。
【図５】上記第１実施例に係るプラス端（＋１．０［ｍ−１］）状態における諸収差図である。
【図６】本発明の第２実施例に係る接眼レンズ系の概略構成図である。
【図７】上記第２実施例に係るマイナス端（−２．０［ｍ−１］）状態における諸収差図である。
【図８】上記第２実施例に係る−１．０［ｍ−１］状態における諸収差図である。
【図９】上記第２実施例に係るプラス端（＋１．０［ｍ−１］）状態における諸収差図である。
【図１０】本発明の第３実施例に係る接眼レンズ系を備えた一眼レフカメラのファインダ光学系の概略構成図である。
【図１１】上記第３実施例に係る接眼レンズ系の概略構成図である。
【図１２】上記第３実施例に係るマイナス端（−２．０［ｍ−１］）状態における諸収差図である。
【図１３】上記第３実施例に係る−１．０［ｍ−１］状態における諸収差図である。
【図１４】上記第３実施例に係るプラス端（＋１．０［ｍ−１］）状態における諸収差図である。
【符号の説明】
【００８４】
１    観察光学系        １１  対物レンズ  １２  ミラー
１３  撮影用の撮像素子  １４  焦点板      １５  コンデンサレンズ
１６  ペンタプリズム（正立光学系）        １７  光学プリズム（光路分割手段）
１８  接眼レンズ      
２    縮小光学系        ２１  撮影レンズ  ２２  フィルター群    
２３    固体撮像素子等（撮像素子）
ＨＭ    ハーフミラー膜（光分割面）      ＥＰ  アイポイント
【図１】
2007093891.tif 000006
【図２】
2007093891.tif 000007
【図３】
2007093891.tif 000008
【図４】
2007093891.tif 000009
【図５】
2007093891.tif 000010
【図６】
2007093891.tif 000011
【図７】
2007093891.tif 000012
【図８】
2007093891.tif 000013
【図９】
2007093891.tif 000014
【図１０】
2007093891.tif 000015
【図１１】
2007093891.tif 000016
【図１２】
2007093891.tif 000017
【図１３】
2007093891.tif 000018
【図１４】
2007093891.tif 000019